(57)【要約】固定長の第１部分と、少なくとも１つの可変長の第２部分とに区分された割り当てテーブルにより、共有ダウンリンク制御チャネル上で複数のリソースが割り当てられる。第１部分の固定長及び変調符号化方式MCSは事前に知られている。第２部分の可変長およびMCSは第１部分内で与えられてもよい。割り当てを与えるネットワーク・ノードに対して異なる近さにある複数のユーザを考慮に入れるために、同一の割り当てテーブル内にある別々の第２部分の間で、または同じ第２部分内でも、ロバスト性が異なってもよい。ユーザは第１部分内で特定されてもよく（たとえば固定数のユーザ）、第２部分内で特定されてもよい（割り当ての対象のさらなるユーザか、または第１部分でユーザが特定されない場合は割り当てられる全ユーザ）。方法、装置、コンピュータ・プログラム、集積回路およびシステムが詳述される。【選択図】図10
2009542042.tif 000002
【特許請求の範囲】
【請求項１】
ネットワーク・ノードによる複数のリソース割り当てのそれぞれに関して、割り当てテーブルを、固定長の第１部分と、少なくとも１つの可変長の第２部分とに区分することと；
ユーザ群により事前に知られているトランスポート・フォーマットを少なくとも前記第１部分に対して使用して、前記ネットワーク・ノードから前記ユーザ群へ、前記区分された割り当てテーブルをダウンリンク共有制御チャネルで伝送することと
を含む方法。
【請求項２】
各割り当てテーブルに関して、前記第１部分は、前記少なくとも１つの第２部分の長さについての情報を含む、請求項１に記載の方法。
【請求項３】
前記割り当てテーブルのうち特定の割り当てテーブルが２つ以上の第２部分を含む場合には少なくとも、前記特定の割り当てテーブルの前記第１部分は、前記特定の割り当てテーブル内の第２部分の数についての情報を含む、請求項１に記載の方法。
【請求項４】
各割り当てテーブルに関して、前記第１部分は、前記少なくとも１つの第２部分のリソース位置についての情報を含む、請求項１に記載の方法。
【請求項５】
各割り当てテーブルに関して、前記第１部分は、前記少なくとも１つの第２部分の数を示す、請求項４に記載の方法。
【請求項６】
各割り当てテーブルに関して、前記第１部分は、前記少なくとも１つの第２部分において使用された変調についての情報を含む、請求項１に記載の方法。
【請求項７】
各割り当てテーブルに関して、前記第１部分は、前記少なくとも１つの第２部分において使用された符号化についての情報を含む、請求項１に記載の方法。
【請求項８】
前記第２部分は、ユーザ機器固有エントリのリソース・シグナリングをそれぞれ含む１つ以上のチャネル符号化ブロックにネストされる、請求項１に記載の方法。
【請求項９】
前記割り当てテーブルを前記区分することが、前記割り当てテーブルのうち少なくとも１つを、少なくとも２つの第２部分に区分することを含む場合、前記伝送することは、前記少なくとも１つの割り当てテーブルに関して、
前記少なくとも２つの第２部分を、別々の変調、別々の符号化、または別々の伝送電力を使用して伝送すること
を含む、請求項１に記載の方法。
【請求項１０】
前記区分された割り当てテーブルを前記伝送することは、少なくとも１つの割り当てテーブルに関して、前記部分のうち１つの部分の異なる複数の情報要素を、別々の符号化または伝送電力を使用して伝送することを含む、請求項１に記載の方法。
【請求項１１】
前記異なる複数の情報要素は、前記少なくとも１つの割り当てテーブルの前記第２部分内にあり、別々の繰り返し符号化を使用して伝送される、請求項１０に記載の方法。
【請求項１２】
前記第１部分は、割り当てテーブル・ヘッダと、ページング・インジケータとを含み、前記ユーザに対する個別のエントリは含まず、前記第２部分は、前記ユーザ群に対する個別のエントリを含む、請求項１に記載の方法。
【請求項１３】
前記第１部分は、割り当てテーブル・ヘッダと、ページング・インジケータと、前記ユーザに対する固定数のエントリとを含み、前記第２部分は、他の前記ユーザに対する可変数のエントリを含む、請求項１に記載の方法。
【請求項１４】
前記伝送することは、各割り当てテーブルに関して、前記割り当てテーブルの前記少なくとも１つの第２部分のいずれの伝送電力よりも高い電力で、前記第１部分を伝送することを含む、請求項１に記載の方法。
【請求項１５】
前記ユーザ群により事前に知られている前記トランスポート・フォーマットは第１トランスポート・フォーマットを含み、前記伝送することは、前記割り当てテーブルそれぞれに関して、第２トランスポート・フォーマットを使用して前記少なくとも１つの第２部分を伝送することを含む、請求項１に記載の方法。
【請求項１６】
各割り当てテーブルは、前記割り当てテーブル内のアップリンクのみのエントリ数およびダウンリンクのみのエントリ数を示す固定長のビット・フィールドをさらに含む、請求項１に記載の方法。
【請求項１７】
前記伝送することは、前記第１および第２の部分のうち少なくとも１つを、それぞれがサブキャリアのセットである固定数の物理リソース・ブロックを含んだ周波数帯域幅部分にマップすることを含む、請求項１に記載の方法。
【請求項１８】
前記伝送することは、前記第１部分を、第１セットのサブキャリアによって第１伝送電力で伝送することと、前記第２部分を、前記第１セットのサブキャリアとは異なる第２セットのサブキャリアによって、前記第１伝送電力とは異なる第２伝送電力で伝送することとを含む、請求項１７に記載の方法。
【請求項１９】
複数のリソースをユーザ群に割り当てるための複数のコンピュータ命令を含むメモリであって、前記命令を実行するプロセッサが、
ネットワーク・ノードによる複数のリソース割り当てのそれぞれに関して、割り当てテーブルを、固定長の第１部分と、少なくとも１つの可変長の第２部分とに区分することと；
ユーザ群により事前に知られているトランスポート・フォーマットを少なくとも前記第１部分に対して使用して、前記ネットワーク・ノードから前記ユーザ群へ、前記区分された割り当てテーブルをダウンリンク共有制御チャネルで伝送することと；
を含む動作を遂行するためのコンピュータ命令を含む、メモリ。
【請求項２０】
各割り当てテーブルに関して、前記第１部分は、前記少なくとも１つの第２部分の長さについての情報を含む、請求項１９に記載のコンピュータ命令を含むメモリ。
【請求項２１】
前記割り当てテーブルのうち特定の割り当てテーブルが２つ以上の第２部分を含む場合には少なくとも、前記特定の割り当てテーブルの前記第１部分は、前記特定の割り当てテーブル内の第２部分の数についての情報を含む、請求項１９に記載の複数のコンピュータ命令を含むメモリ。
【請求項２２】
各割り当てテーブルに関して、前記第１部分は、前記少なくとも１つの第２部分のリソース位置についての情報を含む、請求項２１に記載のコンピュータ命令を含むメモリ。
【請求項２３】
各割り当てテーブルに関して、前記第１部分は、前記少なくとも１つの第２部分の数を示す、請求項２２に記載のコンピュータ命令を含むメモリ。
【請求項２４】
各割り当てテーブルに関して、前記第１部分は、前記少なくとも１つの第２部分において使用された変調についての情報を含む、請求項１９に記載のコンピュータ命令を含むメモリ。
【請求項２５】
各割り当てテーブルに関して、前記第１部分は、前記少なくとも１つの第２部分において使用された符号化についての情報を含む、請求項１９に記載のコンピュータ命令を含むメモリ。
【請求項２６】
前記第２部分は、ユーザ機器固有エントリのリソース・シグナリングをそれぞれ含む１つ以上のチャネル符号化ブロックにネストされる、請求項１９に記載のコンピュータ命令を含むメモリ。
【請求項２７】
前記割り当てテーブルを前記区分することが、前記割り当てテーブルのうち少なくとも１つを、少なくとも２つの第２部分に区分することを含む場合、前記伝送することは、前記少なくとも１つの割り当てテーブルに関して、
前記少なくとも２つの第２部分を、別々の変調、別々の符号化、または別々の伝送電力を使用して伝送すること
を含む、請求項１９に記載のコンピュータ命令を含むメモリ。
【請求項２８】
前記区分された割り当てテーブルを前記伝送することは、少なくとも１つの割り当てテーブルに関して、前記第２部分のうち少なくとも１つの第２部分の異なる複数の情報要素を、別々の繰り返し符号化を使用して伝送することを含む、請求項１９に記載のコンピュータ命令を含むメモリ。
【請求項２９】
前記伝送することは、各割り当てテーブルに関して、前記割り当てテーブルの前記少なくとも１つの第２部分のいずれの伝送電力よりも高い電力で、前記第１部分を伝送することを含む、請求項１９に記載のコンピュータ命令を含むメモリ。
【請求項３０】
前記ユーザ群により事前に知られている前記トランスポート・フォーマットは第１トランスポート・フォーマットを含み、前記伝送することは、前記割り当てテーブルそれぞれに関して、第２トランスポート・フォーマットを使用して前記少なくとも１つの第２部分を伝送することを含む、請求項１９に記載のコンピュータ命令を含むメモリ。
【請求項３１】
ネットワーク・デバイスであって、
メモリに組み合わされるプロセッサであって、前記ネットワーク・デバイスによる複数のリソース割り当てのそれぞれに関して、割り当てテーブルを、固定長の第１部分と、少なくとも１つの可変長の第２部分とに区分するように構成される、プロセッサと；
ユーザ群により事前に知られているトランスポート・フォーマットを少なくとも前記第１部分に対して使用して、前記ネットワーク・デバイスから前記ユーザ群へ、前記区分された割り当てテーブルをダウンリンク共有制御チャネルで伝送するように構成される送信機と
を含むネットワーク・デバイス。
【請求項３２】
各割り当てテーブルに関して、前記第１部分は、前記少なくとも１つの第２部分の長さについての情報を含む、請求項３１に記載のネットワーク・デバイス。
【請求項３３】
前記割り当てテーブルのうち特定の割り当てテーブルが２つ以上の第２部分を含む場合には少なくとも、前記特定の割り当てテーブルの前記第１部分は、前記特定の割り当てテーブル内の第２部分の数についての情報を含む、請求項３１に記載のネットワーク・デバイス。
【請求項３４】
各割り当てテーブルに関して、前記第１部分は、前記少なくとも１つの第２部分のリソース位置についての情報を含む、請求項３１に記載のネットワーク・デバイス。
【請求項３５】
各割り当てテーブルに関して、前記第１部分は、前記少なくとも１つの第２部分の数を示す、請求項３４に記載のネットワーク・デバイス。
【請求項３６】
各割り当てテーブルに関して、前記第１部分は、前記少なくとも１つの第２部分において使用された変調についての情報を含む、請求項３１に記載のネットワーク・デバイス。
【請求項３７】
各割り当てテーブルに関して、前記第１部分は、前記少なくとも１つの第２部分において使用された符号化についての情報を含む、請求項３１に記載のネットワーク・デバイス。
【請求項３８】
前記第２部分は、ユーザ機器固有エントリのリソース・シグナリングをそれぞれ含む１つ以上のチャネル符号化ブロックにネストされる、請求項３１に記載のネットワーク・デバイス。
【請求項３９】
前記プロセッサが、前記割り当てテーブルのうち少なくとも１つを、少なくとも２つの第２部分に区分する場合、前記送信機は、前記少なくとも２つの第２部分を、別々の変調、別々の符号化、または別々の伝送電力を使用して伝送するように構成される、請求項３１に記載のネットワーク・デバイス。
【請求項４０】
前記送信機は、少なくとも１つの割り当てテーブルに関して、前記部分のうち１つの部分の異なる複数の情報要素を、別々の符号化または伝送電力を使用して伝送するように構成される、請求項３１に記載のネットワーク・デバイス。
【請求項４１】
前記異なる複数の情報要素は、前記少なくとも１つの割り当てテーブルの前記第２部分内にあり、別々の繰り返し符号化を使用して伝送される、請求項４０に記載のネットワーク・デバイス。
【請求項４２】
前記送信機は、各割り当てテーブルに関して、前記割り当てテーブルの前記少なくとも１つの第２部分のいずれの伝送電力よりも高い電力で、前記第１部分を伝送するように構成される、請求項３１に記載のネットワーク・デバイス。
【請求項４３】
前記ユーザ群により事前に知られている前記トランスポート・フォーマットは第１トランスポート・フォーマットを含み、前記送信機は、前記割り当てテーブルそれぞれに関して、第２トランスポート・フォーマットを使用して前記少なくとも１つの第２部分を伝送するように構成される、請求項３１に記載のネットワーク・デバイス。
【請求項４４】
前記プロセッサは、各割り当てテーブル内に、前記割り当てテーブル内のアップリンクのみのエントリ数およびダウンリンクのみのエントリ数を示す固定長のビット・フィールドを含めるようになっている、請求項３１に記載のネットワーク・デバイス。
【請求項４５】
前記送信機は、前記第１および第２の部分のうち少なくとも１つを、それぞれがサブキャリアのセットである固定数の物理リソース・ブロックを含んだ周波数帯域幅部分にマップするように構成される、請求項３１に記載のネットワーク・デバイス。
【請求項４６】
前記送信機は、前記第１部分を、第１セットのサブキャリアによって第１伝送電力で伝送し、前記第２部分を、前記第１セットのサブキャリアとは異なる第２セットのサブキャリアによって、前記第１伝送電力とは異なる第２伝送電力で伝送するように構成される、請求項４５に記載のネットワーク・デバイス。
【請求項４７】
ネットワーク・ノードによる複数のリソース割り当てのそれぞれに関して、割り当てテーブルを、固定長の第１部分と、少なくとも１つの可変長の第２部分とに区分するように構成される第１回路素子と；
ユーザ群により事前に知られているトランスポート・フォーマットを少なくとも前記第１部分に対して使用して、前記ネットワーク・ノードから前記ユーザ群へ、前記区分された割り当てテーブルをダウンリンク共有制御チャネルで伝送するように構成される第２回路素子と
を含む集積回路。
【請求項４８】
各割り当てテーブルに関して、前記第１部分は、前記少なくとも１つの第２部分の長さについての情報を含む、請求項４７に記載の集積回路。
【請求項４９】
各割り当てテーブルに関して、前記第１部分は、前記少なくとも１つの第２部分のリソース位置についての情報を含む、請求項４７に記載の集積回路。
【請求項５０】
各割り当てテーブルに関して、前記第１部分は、前記少なくとも１つの第２部分の変調または符号化のうち１つについての情報を含む、請求項４７に記載の集積回路。
【請求項５１】
前記第２回路素子は、各割り当てテーブルに関して、前記割り当てテーブルの前記少なくとも１つの第２部分のいずれの伝送電力よりも高い電力で、前記第１部分を伝送するように構成される、請求項４７に記載の集積回路。
【請求項５２】
前記第２回路素子は、少なくとも１つの割り当てテーブルに関して、前記第２部分のうち１つの第２部分の異なる複数の情報要素を、別々の符号化または伝送電力を使用して伝送するように構成される、請求項４７に記載の集積回路。
【請求項５３】
携帯用ワイヤレス・デバイスであって、
区分された割り当てテーブルを受信するように構成される受信機と；
メモリに接続されたプロセッサであって、前記割り当てテーブルの固定長第１部分を既知のチャネル符号化ブロックで処理すると共に、少なくとも１つの可変長第２部分が正しく受信されたと判断し、前記デバイスに対するリソース割り当てが完全に受信されたと前記割り当てテーブルから判断するべく、前記割り当てテーブルの前記可変長第２部分を処理するように構成されるプロセッサと；
を含む携帯用ワイヤレス・デバイス。
【請求項５４】
前記プロセッサは、前記少なくとも１つの第２部分の長さを前記第１部分から判断し、前記判断された長さを使用して、前記少なくとも１つの第２部分を復号するように構成される、請求項５３に記載の携帯用ワイヤレス・デバイス。
【請求項５５】
ネットワーク・ノードと携帯用ワイヤレス・デバイスとを含むシステムであって、
前記ネットワーク・ノードは、該ネットワーク・ノードによる複数のリソース割り当てのそれぞれに関して、割り当てテーブルを、固定長の第１部分と、少なくとも１つの可変長の第２部分とに区分すると共に、前記区分された割り当てテーブルを、前記ネットワーク・ノードからユーザ群へ、ダウンリンク共有制御チャネルで伝送するよう構成され、
前記携帯用ワイヤレス・デバイスは、前記割り当てテーブルのうち少なくとも１つを前記ダウンリンク共有制御チャネル上で受信するよう構成され、前記受信された割り当てテーブルの前記固定長第１部分を既知のチャネル符号化ブロックで処理すると共に、前記可変長第２部分が正しく受信されたと判断し、前記デバイスに対するリソース割り当てが完全に受信されたと前記受信された割り当てテーブルから判断するべく、前記受信された割り当てテーブルの前記少なくとも１つの可変長第２部分を処理するよう構成される、
システム。
【請求項５６】
前記第１固定長は、前記ネットワーク・ノードおよび前記携帯用ワイヤレス・デバイスにより事前に知られていて、それぞれのローカル・メモリ内に格納されており；
前記割り当てテーブルの前記固定長の第１部分は、前記少なくとも１つの可変長の第２部分の長さ、変調、符号化およびリソース位置のうち少なくとも１つについての情報を運ぶ、請求項５５に記載のシステム。
【発明の詳細な説明】
【技術分野】
【０００１】
本発明の例示的かつ非限定的な実施形態は、全般的にワイヤレス通信のシステム、方法、コンピュータ・プログラム製品およびデバイスに関し、特に、ネットワーク・ノードとユーザ機器との間のダウンリンク・シグナリングの技術に関する。
【背景】
【０００２】
以下の略語をこれにより定義する。
3GPP   第３世代パートナーシップ・プロジェクト（third generation partnership project）
AT     アロケーション・テーブル（allocation table）
C_RNTI  セル無線ネットワーク一時識別子（cell radio network temporary identifier）
DL     ダウンリンク（downlink）（ノードBからUE）
FECC   順方向誤り訂正符号（forward error correction code）
HO     ハンド・オーバー（hand over）
HS     高速（high speed）
HSDPA  高速データ・パケット・アクセス（high speed data packet access）
L1     レイヤ1、物理（PHY：physical）レイヤ
LTE    ロング・ターム・エボリューション（long term evolution）
MCS    変調符号化方式（modulation coding scheme）
Node B   基地局
OFDM   直交周波数分割多重方式（orthogonal frequency division multiplex）
PSK    位相偏移キーイング（phase shift keying）
PTCCH  パケット・タイミング・アドバンス制御チャネル（packet timing advance control channel）
QAM    直交振幅変調（quadrature amplitude modulation）
RLID   無線リンク識別子（radio link identifier）
RNC    無線ネットワーク制御装置（radio network control）
RRC    無線リソース制御（radio resource control）
SCCH   共有制御チャネル（shared control channel）
SFR    ソフト周波数再利用（soft frequency reuse）
STBC   時空ブロック符号化（space-time block coding）
TA     タイミング・アドバンス（timing advance）
UE     ユーザ機器（user equipment）
UL     アップリンク（uplink）（UEからノードB）
UMTS   ユニバーサル・モバイル・テレコミュニケーション・システム（universal mobile telecommunications system）
UTRAN  UMTS地上無線アクセス・ネットワーク（UMTS terrestrial radio access network）
E-UTRAN  進化型UTRAN（evolved UTRAN）、UTRAN-LTEとも3．9Gとも呼ばれる
WCDMA  広帯域符合分割多重アクセス（wideband code division multiple access）
【０００３】
共通制御シグナリング（common control signaling）用の統一エントリ・フォーマット（unified entry format）の実施形態は、内容全体を参照によって本願明細書に引用したものとする、所有者共通の「共通制御シグナリング用の統一エントリ・フォーマット（UNIFIED ENTRY FORMAT FOR COMMON CONTROL SIGNALLING）」という題の米国特許出願第11/509697号明細書に記載されている。所有者共通のこの特許出願は、Beyond 3Gシステム、E-UTRA非接触インターフェース（air interface）技術用のリソース割り当てに関し、特に、共有シグナリング・チャネル（shared signaling channel）、共有制御チャネル（SCCH）または類似のものとしても知られるアロケーション・テーブル（AT）の構造に関する。ATは、SCCH情報をセル内の全UEへ届ける手段を提供する。
【０００４】
E-UTRAシステムでは、ネットワーク側の基地局（eNode B）が、DLおよびUL両方の無線リソースを割り当て、その割り当てをダウンリンクSCCH上でUEに示す。SCCHは、次に限定されるものではないが、ページング・インジケータ（paging indicators）およびランダム・アクセス応答など、受信するUEすべてに共通する他の情報を運ぶ。ULトラフィックの、以前に伝送されたアップリンク・パケットの肯定応答、および割り当てられるリソースのトランスポート・フォーマットなどの追加の情報も、SCCH上に存在する。
【０００５】
特定のUEに関するリソース割り当てエントリは、所定の構造（統一エントリ・フォーマット）を有する。しかし、DLおよびULのリソースを割り当てられるUEの数はサブフレームごとに異なる可能性があり、したがって、リソースAT内のエントリ数は一定でないこともある。その結果、ダウンリンクの任意のサブフレーム内で伝送される制御シグナリングの量は、サブフレームごとに異なる可能性がある。
【０００６】
HSDPA HS-SCCH、すなわちUE固有の制御シグナリングを使用すると、符号化ブロックからのテール・ビットおよびACK/NACKシグナリング用のビット・フィールドの予約が原因で、望ましくないオーバーヘッドがもたらされる。HSDPAと違い、E-UTRAでは、ULリソース割り当てもDL SCCHにおいて伝送される。さらに、電力制御およびタイミング・アドバンスなど、UL割り当てに関連した他の制御情報がDL SCCHで伝送されることもある。さらに、２つ以上のUEにより共有されるページング・インジケータ、およびネットワークへのランダム・アクセスを試みるランダムなUE間で共有されるランダム・アクセス応答など、存在する場合もあるいくつかの特定のビット・フィールドがある。したがって、UE固有のシグナリング方式を使用することは望ましくない。一方、同一ブロックでいくつかのUEに信号を送ること、および複数のUEの制御信号をジョイント符号化（jointly encode）することは、オーバーヘッドおよび処理の観点からそれぞれ有益である。
【０００７】
ダウンリンク共有制御信号の結合符号化では、制御データの複数インスタンス（シグナリング・ビットフィールド）が、FECCで符号化される単一ブロックに結合される。なお、制御シグナリング・フィールドの符号化ブロック長は制御データの複数のソースによって決まるため、フィールド長は、上述のとおり変化しやすい場合もあり、SCCHを復号するUEは符号化ブロック長を認識する必要がある。盲目的に復号することも考えられるが、候補数が非常に多く、この方式は実現可能ではないと思われる。あるいは、UEが、上位層のシグナリングによって符号化フィールド長の通知を受けることも考えられる。しかし、この手法は、L1のシグナリングを目的とすると遅すぎ、柔軟性がないということが明らかである。このような方式は、実際にはパフォーマンスを制限し、L1処理のレイテンシーを増大させることになる。
【０００８】
DL SCCHを一様に符号化および変調すると最も低い符号化オーバーヘッドがもたらされるが、いくつかの欠点が出てくる。セル領域内の全UEがSCCHを検出および復号できなければならないため、チャネル符号化率は、最も厳しい受信状態のために定義される必要があり、符号化率は、セル端においてでも十分な復号品質をもたらすよう、十分に低い必要がある。実際、符号化率は、総DL容量のSCCHオーバーヘッドが維持できなくなるほど低く設定される必要があることもある。
【特許文献１】米国特許出願第11/509697号明細書
【摘要】
【０００９】
本発明の一態様に従うものは、複数のリソース割り当てのそれぞれに関して、割り当てテーブルを、固定長の第１部分（first partition）と、少なくとも１つの可変長の第２部分（second partition）とに区分することを含む方法である。区分された割り当てテーブルは、ダウンリンク共有制御チャネル上でユーザ群へ伝送される。割り当てテーブルの少なくとも第１部分についてのトランスポート・フォーマットは、ユーザ群により事前に知られている。
【００１０】
本発明の別の態様に従うものは、リソースをユーザ群に割り当てるためのコンピュータ命令を含むメモリである。命令は、プロセッサにより実行されると、ネットワーク・ノードによる複数のリソース割り当てのそれぞれに関して、割り当てテーブルを、固定長の第１部分と、少なくとも１つの可変長の第２部分とに区分することを含む処理を生じさせる。この処理は、区分された割り当てテーブルを、ダウンリンク共有制御チャネル上で、ネットワーク・ノードからユーザ群へ伝送することをさらに含む。割り当てテーブルの少なくとも第１部分についてのトランスポート・フォーマットは、ユーザ群により事前に知られている。
【００１１】
本発明の別の態様に従うものは、メモリと送信機とに接続されたプロセッサを含むネットワーク・デバイスである。プロセッサは、ネットワーク・デバイスによる複数のリソース割り当てのそれぞれに関して、割り当てテーブルを、固定長の第１部分と、少なくとも１つの可変長の第２部分とに区分するように構成される。送信機は、区分された割り当てテーブルを、ダウンリンク共有制御チャネル上で、ネットワーク・デバイスからユーザ群へ伝送するように構成される。割り当てテーブルの少なくとも第１部分についてのトランスポート・フォーマットは、ユーザ群により事前に知られている。
【００１２】
本発明のさらに別の態様に従うものは、第１および第２の回路素子を含む集積回路である。第１回路素子は、ネットワーク・ノードによる複数のリソース割り当てのそれぞれに関して、割り当てテーブルを、固定長の第１部分と、少なくとも１つの可変長の第２部分とに区分するように構成される。第２回路素子は、区分された割り当てテーブルを、ダウンリンク共有制御チャネル上で、ネットワーク・ノードからユーザ群へ伝送するように構成される。
【００１３】
本発明のさらに別の態様に従うものは、受信機と、メモリに接続されたプロセッサとを含む携帯用ワイヤレス・デバイスである。受信機は、区分された割り当てテーブルを受信するように構成される。該プロセッサは、割り当てテーブルの固定長第１部分を既知のチャネル符号化ブロックで処理すると共に、少なくとも１つの可変長第２部分が正しく受信されたと判断し、デバイスに対するリソース割り当てが正しく受信されたと前記割り当てテーブルから判断するべく、前記割り当てテーブルの少なくとも１つの可変長第２部分を処理するように構成される。
【００１４】
さらに別の実施形態では、本発明は、ネットワーク・ノードおよび携帯用ワイヤレス・デバイスを含むシステムである。このネットワーク・ノードは、該ネットワーク・ノードによる複数のリソース割り当てのそれぞれに関して、割り当てテーブルを、固定長の第１部分と、少なくとも１つの可変長の第２部分とに区分すると共に、前記区分された割り当てテーブルを、前記ネットワーク・ノードからユーザ群へ、ダウンリンク共有制御チャネルで伝送するよう構成される。また、前記携帯用ワイヤレス・デバイスは、前記割り当てテーブルのうち少なくとも１つを前記ダウンリンク共有制御チャネル上で受信するよう構成され、前記受信された割り当てテーブルの前記固定長第１部分を既知のチャネル符号化ブロックで処理すると共に、前記可変長第２部分が正しく受信されたと判断し、前記デバイスに対するリソース割り当てが完全に受信されたと前記受信された割り当てテーブルから判断するべく、前記受信された割り当てテーブルの前記少なくとも１つの可変長第２部分を処理するよう構成される。
【００１５】
これらの例示的な実施形態およびその他の例示的な実施形態を、以下でさらに詳しく記載する。
【図面の簡単な説明】
【００１６】
以下、添付の図面を参照して本発明の実施形態について詳述する。
【００１７】
【図１】ソフト周波数再利用が用いられているときの、DL SCCHの2ブロックへの分割および区分化を表現する。
【００１８】
【図２】ソフト周波数再利用が用いられていないとき、またはその存在が制御チャネル設計により省略されているときの、DL SCCHの2ブロックへの分割を表現する。
【００１９】
【図３】DL SCCHチャネルの第１固定部を図示する（例示的なDL UEリソース割り当てを含む）。
【００２０】
【図４】DL SCCHチャネルの第２可変長部を図示する。
【００２１】
【図５】共通情報（例えば純粋なページング・インジケータ）を有する、DL SCCHチャネルの第１固定部を示す。
【００２２】
【図６】２つの部分がある、DL SCCHチャネルの後部を示し、一方の部分には他方の部分よりもロバストな符号化および変調の方式が提供されている。
【００２３】
【図７】DL SCCHチャネルの第１部分を図示する（すべてのUE ID（C_RNTI）がこの中に含まれている）。
【００２４】
【図８】UEエントリ（C_RNTIを除く）およびその他の内容を備えたDL SCCHチャネルの後部を表現する。
【００２５】
【図９】本発明の例示的な実施形態の実践に使用するのに適した種々の電子デバイスの簡略化したブロック図を示す。
【００２６】
【図１０】本発明の例示的な実施形態に従った方法を説明する論理流れ図である。
【００２７】
【図１１】本発明の例示的な実施形態に従った、UEにより実行される方法を説明する論理流れ図である。
【詳細な説明】
【００２８】
本発明の例示的な実施形態は、少なくとも一部、DL共有制御信号の物理的構造に関し、特に、別々に符号化される複数フィールドへ制御チャネルを区分することに関する。
【００２９】
本発明の例示的な実施形態を使用すると上述の問題が打開される。例えば、WCDMA HSDPAシグナリングでは、各UEは、DLにおいて利用可能ないくつかのHS-SCCHチャネライゼーション・コード（channelization code）から１つのチャネライゼーション・コードを検出する。したがって、制御信号は固定されており、一度に単一のUE用に定義され、そのUE固有であるため、HS-SCCHは常に固定長のチャネル符号化ブロックである。複数のUE用にジョイント符号化された制御シグナリングは、WCDMAでは使用されていない。
【００３０】
本発明の例示的な実施形態はUTRAN-LTEに関し、以下ではUTRAN-LTEに照らして説明される。特に、本発明の例示的な実施形態は、DLシグナリング・チャネルにより、リソース割り当てを信号で伝えること、ならびにダウンリンク受信およびアップリンク伝送用にUEを制御することという分野を扱う。これは、基地局ノードが、両リンク方向のリソース割り当てと、制御とを担うことを意味する。なお、当然のことながら、例示的な実施形態の少なくとも一部の態様は、他の種類のワイヤレス通信システムに対して適用できる。一般に、複数の通信ノードは同等の種類のデバイスであってもよいが、そのデバイスのうち１つのみが、非接触インターフェースにおいてリソース予約を定義する主要な役割を果たさなければならない。
【００３１】
まず、本発明の例示的な実施形態の実践に使用するのに適した種々の電子デバイスの簡略化されたブロック図を図示する図9を参照する。図9では、ワイヤレス・ネットワーク1が、Node B（基地局）12を介してUE10と通信するように構成される。Node B 12はeNode Bとも呼ばれることがある。ネットワーク1は、RNC 14、またはより広く何らかのサービング制御ノード（serving controlling node）を含めばよく、サービングRNC（SRNC：serving RNC）と呼ばれることも、もしくはパケット無線サービング・ノード（eGSN）と呼ばれることも、またはより一般的に「ノード」と呼ばれることもある。UE10は、データ・プロセッサ（DP：data processor）10Aと、プログラム（PROG：program）10Cを格納するメモリ（MEM：memory）10Bと、無線周波数（RF：radio frequency）送受信機10Dとを含み、RF送受信機10DはNode B 12との双方向ワイヤレス通信に適したものである。Node B 12も同じく、DP 12Aと、PROG 12Cを格納するMEM 12Bと、適切なRF送受信機 12Dとを含む。Node B 12は、データパス13を介してノード 14に接続されており、ノード 14も同じく、DP 14Aと、関連のPROG 14Cを格納するMEM 14Bとを含む。
【００３２】
典型例では、ノードB 12によりサービスを提供されるセル内に位置するUE10群がある。UEは通常、受信の信号対干渉比（SIR：signal-to-interference ratio）の様々な動的状態に直面するが、セルの「端」またはその付近にあると思われる１つ以上のUE10に関しては特にそうである。
【００３３】
以下で説明するように、少なくともPROG10Cおよび 12Cは、関連のDPによって実行されると、電子デバイスが本発明の例示的な実施形態に従って動作できるようにするプログラム命令を含む。例えば、PROG 12Cは、分割され別々に符号化されたDL SCCHを使用して、UE10および同一セル内のその他のUEへ信号を送るようNode B 12に指示するプログラム命令を含む。PROG10Cは、下記でさらに詳しく記載するように、DL SCCHを受信し、そのDL SCCHの種々の部分を選択的に復号するようUE10に指示するプログラム命令を含む。
【００３４】
したがって、本発明の例示的な実施形態は少なくとも一部、例えばネットワーク内のDPと協働してなど、UE10のDP10Aおよびその他のDPにより実行可能なコンピュータ・ソフトウェアにより実装されても、またはハードウェアにより実装されても、またはソフトウェアおよび/またはファームウェアおよびハードウェアの組み合わせにより実装されてもよい。
【００３５】
一般に、UE10の種々の実施形態は、次に限定されるものではないが、セルラ電話、ワイヤレス通信機能を備えた携帯情報端末（PDA：personal digital assistant）、ワイヤレス通信機能を備えた携帯用コンピュータ、ワイヤレス通信機能を備えたデジタル・カメラなどの画像キャプチャ・デバイス、ワイヤレス通信機能を備えたゲーム機、ワイヤレス通信機能を備えた音楽記憶再生機器、ワイヤレス・インターネット・アクセスおよびブラウジングが可能なインターネット機器、ならびにそのような機能の組み合わせが組み込まれた携帯用ユニットまたは携帯端末を含み得る。
【００３６】
MEM10B、12Bおよび14Bは、ローカル技術環境に適した任意の種類でよく、半導体ベースのメモリ・デバイス、磁気メモリ・デバイスおよび磁気メモリ・システム、光学メモリ・デバイスおよび光学メモリ・システム、固定メモリおよび取り外し可能なメモリなど、任意の適切なデータ保存技術を使用して実装されるとよい。DP10A、12Aおよび14Aは、ローカル技術環境に適した任意の種類でよく、非限定的な例として、汎用コンピュータ、専用コンピュータ、マイクロプロセッサ、デジタル信号プロセッサ（DSP：digital signal processor）、マルチコア・プロセッサ構造に基づくプロセッサなどのうち１つ以上を含むとよい。
【００３７】
ここまで、本発明の例示的な実施形態の実践に関して、適切であるが非限定的な技術的背景を１つ紹介したが、以下では、図1〜8および10を参照して例示的な実施形態についてさらに限定して説明する。
【００３８】
本発明の例示的な実施形態は、少なくとも２つの部分に区分されたDL SCCHを提供し、DL SCCHがどのように物理リソースにマップされるかを定義する。DL SCCHの第１部分は、事前に知られている変調およびチャネル符号化でチャネル符号化変調された複数シンボルを単位にして固定長であり、DL物理共有チャネルのサブフレームの所定のリソース位置にある。第１部分は、後方の部分（または後方の複数部分）が存在すること（または存在しないこと）、ならびに、後方部分（単数または複数）が存在すればそのリソース位置および構造も示す、ヘッダ・フィールドを含む。後方部分の物理的構造に関する情報は、チャネルの符号化および変調方式の形で、または少なくとも符号化フィールドの長さとして、トランスポート・フォーマットを含むこともある。トランスポート・フォーマットはさらに、非限定的な例として、ビーム形成および/または時空ブロック符号（STBC：Space Time Block Code）、空間周波数ブロック符号（SFBC：Space Frequency Block Code）または巡回遅延ダイバーシチ（CDD：Cyclic Delay Diversity）など、特別なマルチアンテナ処理技術が使用されるかどうかを含んでもよい。後方部分のチャネルの符号化および変調方式は、第１部分のものと違ってもよく、サブフレームごとに異なってもよい。後方部分（単数または複数）は固定されたトランスポート・フォーマットであり、第１部分が当該の後方部分（単数または複数）の数を示すということも可能である。
【００３９】
制御チャネルの物理リソース分割との関連で異なる伝送電力を使用する特定の例には、DLソフト周波数再利用（SFR）を考慮に入れることが挙げられる。例えば、SCCHの第１部分は、高伝送電力プロファイルを割り当てられた物理リソースのみを使用してもよい。しかし、本発明の例示的な実施形態は、SFRの使用により限定はされず、必要に応じて、高伝送電力プロファイルを割り当てられた物理リソースを２つ以上の部分が占有してもよい。
【００４０】
後方部分は２つまたは任意の数の別々のフィールドを含むとよく、一方は、他方よりロバストな符号化変調方式またはより高い伝送電力を与えられる。SFRの場合、どの部分もサブキャリアの所定部分に限定される必要はなく、すべてが高伝送電力プロファイルのサブキャリアを占有することさえも可能である。
【００４１】
SFRの概念に関しては、例えば、本願明細書に別紙Bとして添付され参照によって本願明細書に引用したものとする「UTRAN LTEのソフト周波数再利用方式（Soft Frequency Reuse Scheme for UTRAN LTE）」という題の文献、3GPP TSG RAN WG1 Meeting ＃41、アテネ（Athens）、ギリシャ（Greece）、2005年5月9〜13日、R1-050507、出所：Huaweiを参照するとよい。SFRは、例えばOFDMなどのマルチキャリア・システムに適用される方式であり、周波数帯域幅の一部（サブキャリアのいくつかのセット）が、周波数帯域幅の他の部分（サブキャリアの他のセット）よりも高い電力で伝送される。この種の周波数領域電力プロファイリングは、周波数に応じて受信される信号対干渉の状態を変化させ、利得を可能にする。SFR技術は、周波数計画が安定しており時間整合を必要としないため、非同期の広域ネットワークでも機能できる。
【００４２】
本発明の例示的な実施形態に従い、パイロット（図1および2の基準、すなわちREF（reference）シンボルが、SCCHの第１部分とともに周波数多重化されて現れる。したがって、SCCHには、変調されたパイロット・シンボルを運ぶサブキャリアを除いて、パイロット・シンボルの実際の密度および位置に応じて固定長の単一OFDMシンボル・リソース（またはそのSFR電力プロファイルの一部分）が与えられる。これは、たとえ異なるセル領域内でパイロット・シンボルの密度が異なっても、SCCHの第１部分についての事前の認識を、UE10は変更しないということを意味する。
【００４３】
本発明の例示的な一実施形態では、ページング指示フィールド（paging indication field）およびヘッダ・フィールドに加えて、ATの第１部分に割り当てられる、定数のDL UE割り当てがある（図3に示されている例では３つ）。その他すべてのDL割り当て、UL割り当て、ACK/NACKフィールドおよびその他の共有制御シグナリングはSCCHの第２部分内にある。
【００４４】
本発明の別の例示的な実施形態では、DL SCCHの第１固定長部分は、ヘッダ・フィールドおよびページング指示のみを運ぶ。後方部分は、少なくとも２つの可変長フィールドから成り、そのうち一方は、他方に比べてより低い符号化率およびより低次の変調方式、またはより高い伝送電力を用いるとよい。後方部分内の両フィールドはDLおよびULのリソース割り当てを運ぶ。この実施形態では、Node Bスケジューラは、セル端またはその付近にあるUE10を対象とした制御信号を、より低い率の符号化およびより低次の変調方式、および/またはより高い伝送電力を有する制御信号フィールドに割り当てるとよく、その一方で、セルの中央により近いUE10は、より高い率の符号化、および場合によってはより高次の変調方式、および/またはより低い伝送電力をも有する制御信号フィールド内に割り当てを配置される。
【００４５】
非限定的な例として、第１部分の符号化率は1/8から1/6のオーダーの畳み込み符号としてもよく、後続部分の、低い方の符号化率は1/6から1/3のオーダーの範囲の畳み込み符号としてもよく、高い方の符号化率は1/3から1/2のオーダーの範囲の畳み込み符号としてもよい。問題となっているシステムの標準仕様で決められていれば、代用としてターボ符号または連結コードを同じように利用することができる。非限定的な例として、より低次の変調方式はQPSK変調を使用してもよく、より高次の変調方式は8PSK、16QAM、64QAMまたは任意のマルチアンテナ変調を使用してもよい。
【００４６】
以下、本発明の例示的な実施形態を、図1〜8を参照してさらに詳しく記載する。
【００４７】
図1は、SCCHを２つの部分、すなわち２つのチャネル符号化ブロック（SCCHパートIおよびSCCHパートIIと呼ばれる）に分けるための、本発明の例示的な実施形態に従った技術を図示する。第１部分（パートI）は、変調および符号化が事前に知られており固定されている固定物理リソース・ブロック20にマップされる。この事前に知られている変調および符号化のフォーマットは仕様に書き込まれていてもよく、例えばブロードキャスト・チャネル上で伝送されるシステム情報内で通知されてもよい。第２部分（パートII）は、変調および符号化が可変である可変数の物理リソース・ブロック22にマップされる。SCCHの第２部分の物理リソース、変調、符号化、ビーム形成などのトランスポート・フォーマット・パラメータは、SCCHの第１部分に記述される。この図はSFRを使用することを想定しており、したがって、SCCHの第１部分は高伝送電力プロファイルの物理リソースのみを使用する。上述のパイロット（基準）シンボルは、図の左にOFDMシンボルの間に散在して（周波数または時間周波数多重されて）示されている。
【００４８】
図2は、SCCHを２つの部分、すなわち２つのチャネル符号化ブロックへ（この場合もやはりSCCHパートIおよびSCCHパートIIと呼ばれる）分けるために、本発明のさらなる例示的な実施形態に従って、SFRを使用しないかまたは既存のSFRを省略する制御チャネルをマップする技術を図示している。第１部分（パートI）は、変調および符号化が固定されており事前に知られている固定物理的リソース・ブロック20にマップされる。第２部分（パートII）は、変調および符号化が可変である可変数の物理リソース・ブロック22にマップされる。SCCHの第２部分の物理リソース、変調、符号化、ビーム形成などのトランスポート・フォーマット・パラメータは、SCCHの第１部分に記述される。なお、図2の方式によれば、たとえSFRが使用されたとしても、SCCHの第１部分はそれを省略して第１OFDMシンボルの物理リソースを完全に使用するが、これは基準（パイロット）シンボルを除く。
【００４９】
図1および2はそれぞれ、制御チャネルDL-SCCHが少なくとも２つの部分20、22に分けられ、そのそれぞれが周波数に分布するということを明示する。例示的な実施形態（例えばOFDM）では、この周波数分布はサブキャリアの分散グループから成る。したがって、ATの部分をサブキャリアの異なる複数セットにマップすることができる。上記のように、第１部分は、それぞれがサブキャリアのセットである固定数の物理リソース・ブロックから成る、周波数帯域幅の一部にマップされる。セル端のUEとより近くのUEとを区別するなど、部分を適応的に送信するために、部分のうち１つが周波数帯域幅の1部分で（第１セットのサブキャリアによって）、より高い電力で伝送されてもよく、もう１つが、帯域幅の別の部分で（第２セットのサブキャリアによって）、より低い電力で伝送されてもよい。
【００５０】
図3は、DL SCCHチャネルの第１固定部分20の例示的な実施形態をさらに詳細に示す。この非限定的な実施形態では、第１（固定長）部分20は、UE10が第２部分22を受信し正しく復号するために必要とする、長さ、MCS、ビーム形成、マルチアンテナ伝送方式など、第２部分22のトランスポート・フォーマットを特定する情報30Aを含んだATヘッダ30を含む。複数の（例えば固定数の）UE固有割り当てエントリ32、およびページング・インジケータまたは以前の割り当ての肯定応答を明示するさらなるその他の情報34がさらにあってもよい。
【００５１】
図4は、DL SCCHチャネルの可変長の第２部分22をさらに詳細に示しており、複数のUE固有割り当てエントリ36（第１部分20で伝達されていないもの）、ならびに（随時の）電力制御、タイミング・アドバンス、肯定応答情報などを含むULエントリなど、アロケーション・テーブルの残りの部分を提供する情報38も存在するとよい。
【００５２】
図5は、DL SCCHチャネルの第１（固定）部分の別の実施形態、この場合は、図3のようにATヘッダ30およびページング・インジケータ34（RACH応答もある可能性がある）のみは含まれるが、UE固有エントリ32はないものを示す。この場合、UE割り当てエントリはすべて第２部分22内で運ばれることになる（図8にあるように）。
【００５３】
図6は、DL SCCHチャネルの第２部分38の実施形態を図示しており、第２部分38は、異なるMCSを使用して伝送される２つ（以上）の部分38A、38Bとして提供される。例えば、一方のMCS（部分38A用のものなど）は、他方よりロバスト性が低い符号化および/または変調方式を提供する。上述のとおり、よりロバストなMCSが、セル端に近いUE10（この例ではUE1、2および3）とともに使用されるとよい一方で、ロバスト性がより低いMCSは、Node B 12により近いUE10（この例ではUE4、5および6）用に使用されるとよい。
【００５４】
図7は、DL SCCHチャネルの第１（固定）部分の別の実施形態、この場合は、第２部分内にリソース割り当てがあるUE10のC_RNTIなどの識別情報を含むものを示す。この特定のシグナリング構造は、第１部分20が必要なシグナリングを運ぶのに十分な容量を有する広帯域幅DL上で使用されるのに適している。
【００５５】
C_RNTIは、サービング基地局（Node B 12）の範囲内での、UE10（端末）の一意の識別子である。C_RNTIは、例えば、DLにおいて受信するUE10に対するリソース割り当てを知らせるため（ダウンリンク・スケジューリング情報）、およびULにおいて伝送するためのUE10用のリソース予約をするため（アップリンク・スケジューリング・グラント）に利用される。
【００５６】
図8は、DL SCCHチャネルの第２部分38のさらなる実施形態、この場合は、UE10の割り当ての全エントリを運ぶものを図示している。
【００５７】
なお、シグナリング・リソースが少ないことが見込まれる可能性もあり、ビット・フィールドの量は非常に効率的に設計されることになるため、実際にはC_RNTIシグナリングがシグナリング容量の大部分を消費する。したがって、伝送時間間隔（２つ以上のサブフレームということもあるが、通常は１サブフレーム）中に信号を送る対象のUE10の数は、サブフレームに詰めることの効率性、マルチユーザ・スケジューリングの効率性、および一方ではシグナリングのオーバーヘッドの効率性において重要な役割を果たす。
【００５８】
上記の方式のいずれかに適用可能な本発明のさらなる例示的な実施形態に従い、特定のサブフレームにおいて同一のUE10に対するダウンリンク割り当ておよびアップリンク割り当てがある場合、C_RNTIは1度だけ信号で伝えられるとよい。これは、割り当てエントリには、ダウンリンクのみのエントリと、アップリンクのみのエントリと、ダウンリンク-アップリンクのエントリとが含まれるということを意味する。例えば、割り当て記述がダウンリンクに当てはまるのか、アップリンクに当てはまるのか、またはアップリンクおよびダウンリンク両方に当てはまるのかについてリンク方向の2ビットのインジケータを追加することによって、これは容易に提供される。あるいは、ULのみのエントリおよびDLのみのエントリの数を示す固定長のビット・フィールドが追加されてもよい。シグナリング・エントリがダウンリンクおよびアップリンク両方の割り当てを示す場合、エントリ・フォーマット自体が、ダウンリンクおよびアップリンクそれぞれに関して独立したトランスポート・フォーマット・フィールドをサポートする。重複するC_RNTIシグナリングがないことでビットが節約されるということは、依然重要である。実際には、順序自体がある程度割り当てを説明するように割り当てシグナリング・エントリが順序付けられている場合が多い。したがって、例えば、UL割り当てが相互に順序付けされているリスト内で最初に現れ、ダウンリンク割り当ては、相互に順序付けされているリスト内で次に現れるようにシグナリングを配列することが適切であると思われる。この場合、UL割り当てエントリの一部として、関連した共有ダウンリンク・シグナリング（joint downlink signaling）も含める必要がある。しかしこれは、DL割り当ての順序付きリスト内での場所をDLシグナリングが失う原因になる。したがって、本発明の例示的な実施形態は、共有UL-DLシグナリング・エントリ内に、ダウンリンク順序付きリスト内でのその位置へのポインタ（インデックス）を含めることによって、これを打開する単純なメカニズムを含むとよい。いずれの場合でも、全UE10により復号される結合符号化（joint-coded）ブロック内にすべての情報が含まれるため、シグナリング・リストのこの種のインデックス付けはいずれのUE10に対しても問題を起こさない。したがって、どのUE10も、符号化ブロックの復号およびそのUE10自体に関連するシグナリング・フィールドの処理ができさえすればよい。さらに順序付けに関しては、順序付きリストが役割を果たし、ダウンリンク順序（任意の柔軟な周波数ブロックが割り当てられる）は役割を持たないため、アップリンク割り当ての順序（隣接周波数ブロックが割り当てられる）のみということも可能である。この状況であれば、インデックス自体が省略され、割り当てリンク方向インジケータのみが提供されてもよい。
【００５９】
したがって、本発明の例示的な実施形態は、図10に関し、Node Bなどのネットワーク・ノードからUE群へ情報を伝送する方法を提供する。本方法は、DL SCCHチャネルを、固定長の第１部分と、少なくとも１つの可変長の第２部分とへ区分すること（ステップA）と、区分されたSCCHをDL上でUE10へ伝送すること（ステップB）とを含む。
【００６０】
第１部分は、UEが受信および復号するために事前に知っているトランスポート・フォーマットを使用して伝送され、UEが少なくとも１つの第２部分を受信および復号できるようにするために、少なくとも１つの第２部分の、少なくとも長さおよびMCSなどのトランスポート・フォーマットをUE群に通知する情報を含む。
【００６１】
第２部分はさらに、１つ以上のチャネル符号化ブロックにネストされてもよく、この場合、よりロバストな可能性がある先の符号化ブロックそれぞれが、次の、ロバスト性がより低いチャネル符号化ブロック（単数または複数）のトランスポート・フォーマットおよびリソース・シグナリングを含む。受信側UE10は、それに関連するシグナリングを検出できるレベルまでしか、ネストされたチャネル符号化ブロックを処理せず、ネストされた構造内にある以降のブロックは、いずれもそのUE10により処理される必要がない。
【００６２】
第２部分が少なくとも２つある場合、それらは、ロバスト性がより高いMCSおよびロバスト性がより低いMCS、および/またはより高い伝送電力またはより低い伝送電力を使用してなど、異なるトランスポート・フォーマットを使用して伝送されるとよい。
【００６３】
本発明の一実施形態では、ロバスト性は、繰り返し符号化、ブロック符号化または畳み込み符号化などの追加の外符号化（outer coding）を利用することによって、および/または前記の情報要素に使用される伝送電力を高めることによって、部分内で、例えばC_RNTIなどの選択された情報要素に関してさらに高められてもよい。
【００６４】
例示的な実施形態では、ネットワーク・ノードはアロケーション・テーブル・ヘッダ、ページング・インジケータを第１部分で、ATの残りを少なくとも１つの第２部分で伝送し、少なくとも１つの第２部分は、非限定的な例として、個別のUEエントリ、（随時の）電力制御および（随時の）タイミング・アドバンスを含む。例示的な実施形態では、第１部分は少なくとも１つのUE固有エントリも含んでもよい。
【００６５】
少なくとも１つの第２部分の長さを含むトランスポート・フォーマットは、サブフレーム単位でなど、同じもののインスタンスごとに異なってもよい。
【００６６】
UE10により受信される第１部分は、OFDMシンボルのサブキャリアに変調された複数の基準（パイロット）シンボルを含むとよい。
【００６７】
本発明の例示的な実施形態に従った区分されたDL SCCHチャネルは、SFRとともに使用されてもよく、またはSFRなしで使用されてもよい。
【００６８】
したがって、本発明の例示的な実施形態は、上記のように、区分されたDL SCCHチャネルの受信および復号に対応するUE10も提供する。より具体的には、図11に関して、UE10は、時間周波数同期およびチャネル推定を取得し（ステップA）、受信したサブキャリア・シンボルを格納および復号し（ステップB）、割り当て部分の、事前に知られているチャネル符号化ブロック内の固定部を処理し（ステップC）、割り当ての可変長部分を、それが正しく受信されたことが分かり、関連のあるUE10固有情報が完全に受信されと分かるために必要な程度まで処理する（ステップD）。
【００６９】
したがって、本発明の例示的な実施形態は、上記のように、区分されたDL SCCHチャネルを、形式を合わせて伝送するよう動作可能なNode B 12などのノードも提供する。
【００７０】
本発明の例示的な実施形態は、Node B 12などのネットワーク・ノードにて、およびUE10にて具現化されたコンピュータ・プログラム・コードも提供する。ネットワーク・ノードおよびUE10はそれぞれ、区分されたDL SCCHチャネルを、形式をあわせて伝送するよう、区分されたDL SCCHチャネルを受信および復号するよう動作可能である。
【００７１】
区分されたDL SCCHチャネルを提供するために使用される回路素子は、ネットワーク・ノードに取り付けられた１つ以上の集積回路または回路モジュール、および/またはUE10に取り付けられた１つ以上の集積回路または回路モジュールにおいて具現化されるとよい。このような集積回路またはモジュールは、例えば、図10〜11内に要点を示されているステップを実行するように構成される回路素子を含むとよく、この場合、これらの図の各ブロックが集積回路またはモジュールの回路素子を表す。
【００７２】
概して、種々の実施形態は、ハードウェアもしくは専用回路、ソフトウェア、論理、またはそれらの任意の組み合わせにおいて実装されればよい。例えば、一部の態様がハードウェアに実装される一方で、他の態様は制御装置、マイクロプロセッサまたはその他のコンピュータ・デバイスにより実行され得るファームウェアまたはソフトウェアに実装されてもよいが、本発明はこれに限定はされない。本発明の種々の態様は、ブロック図、信号フロー図、流れ図および論理流れ図として、またはその他何らかの図的表現を使用して図示できるが、当然のことながら、本願明細書で説明されたこれらのブロック、装置、システム、技術または方法は、非限定的な例として、ハードウェア、ソフトウェア、ファームウェア、専用回路もしくは論理、汎用ハードウェアもしくは制御装置、またはその他コンピュータ・デバイス、またはこれらの何らかの組み合わせにおいて実装されればよい。
【００７３】
上述のとおり、本発明の実施形態は、集積回路モジュールなどの様々なコンポーネントにおいて実践され得る。全般的にみて、集積回路の設計は高度に自動化されたプロセスである。論理レベルの設計を、半導体基板上にすぐにエッチングおよび形成可能な半導体回路設計に変換するために利用できる複雑かつ強力なソフトウェア・ツールが複数ある。
【００７４】
カリフォルニア州マウンテン・ビュー（Mountain View，California）のシノプシス社（Synopsys，Inc．）、およびカリフォルニア州サンノゼ（San Jose，California）のケイデンス・デザイン（Cadence Design）により提供されているようなプログラムは、確立された設計ルールならびに記憶済みの設計モジュールのライブラリを使用して、自動的に半導体チップ上に導体を経路付けし、構成部品を位置付ける。半導体回路の設計が完了すれば、結果として生じた設計が製造用に、半導体加工施設、つまり「製造工場」へ標準化された電子形式（例えばOpus、GDSII、または同様のものなど）で伝送されればよい。
【００７５】
当業であれば、添付の図と併せて前述の説明を読むことで、様々な変更および適応がすぐにわかるであろう。なお、本発明の教示のあらゆる変更は、やはり本発明の非限定的な実施形態の範囲内に入る。
【００７６】
さらに、本発明の種々の非限定的な実施形態の一部の特徴を、他の特徴の使用を伴わずに使用し役立ててもよい。このように、上記の説明は、本発明の原理、教示、例示的実施形態を説明するに過ぎず、本発明を限定するものではないと見なされるべきである。
【図１】
2009542042.tif 000003
【図２】
2009542042.tif 000004
【図３】
2009542042.tif 000005
【図４】
2009542042.tif 000006
【図５】
2009542042.tif 000007
【図６】
2009542042.tif 000008
【図７】
2009542042.tif 000009
【図８】
2009542042.tif 000010
【図９】
2009542042.tif 000011
【図１０】
2009542042.tif 000012
【図１１】
2009542042.tif 000013